(57)【要約】【課題】　空調能力を低下させないようにするとともに、微細な塵埃や臭気を含んだ空気が室内へ拡散されるのを軽減する空気調和機を提供する。【解決手段】　開口部５、吹出口７を有する本体ケース２と、この本体ケース２の前記開口部５に取り付けられ吸込口を有する前面パネル３と、本体ケース内２に設けられ前記吸込口及び吹出口７を連通する通風路８と、この通風路８内に設けられた熱交換器１２及び送風ファン１１とを備えた空気調和機において、前記前面パネル３は前方に突出して設けられる前面板１４と、この前面板１４の下端部に設けられ下方に向けて開口する下吸込口１７とを有し、前記前面板１４と熱交換器１２との間に少なくとも脱臭装置２４または集塵装置のいずれか一方を配置した。【選択図】　　　図２
2004101171.tif 000002
【特許請求の範囲】
【請求項１】
　前面に開口部、下端部に吹出口を有する本体ケースと、この本体ケースの前記開口部に取り付けられ吸込口を有する前面パネルと、本体ケース内に設けられ前記吸込口及び吹出口を連通する通風路と、この通風路内に設けられた熱交換器及び送風ファンとを備えた空気調和機において、
　前記前面パネルは前方に突出して設けられる前面板と、この前面板の下端部に設けられ下方に向けて開口する下吸込口とを有し、前記前面板と熱交換器との間に少なくとも脱臭装置または集塵装置のいずれか一方を配置したことを特徴とする空気調和機。
【請求項２】
　前記前面板は中央部が左右より突出し、前記脱臭装置または集塵装置を左右方向のほぼ中央に設けたことを特徴とする請求項１に記載の空気調和機。
【請求項３】
　前記熱交換器の風上側の通風路内にプレフィルタ、紫外線ランプ及び脱臭フィルタを順次配置して脱臭装置を形成すると共に、前記紫外線ランプ及び脱臭フィルタを脱臭ケースに収納し、この脱臭ケースの前板を網目状に形成してプレフィルタとしたことを特徴とする請求項１または２に記載の空気調和機。
【発明の詳細な説明】
【技術分野】
【０００１】
　本発明は、運転開始時に本体ケース内部に付着した塵埃が舞い上がり、室内に吹き出されないようにした空気調和機に関する。
【背景技術】
【０００２】
　従来の空気調和機において、本体ケース内部に付着した塵埃が運転開始時に室内へ多量に吹き出さないような機能を備えたものが知られている（例えば特許文献１参照）。
【０００３】
　図６は前述した分離型空気調和機の室内機の側断面図である。この室内機７１は、本体ケース７１Ａを備え、この本体ケース７１Ａの前面及び上面に前面及び上面吸込口７２、７３、下端部に開閉フラップ７４を枢着した吹出口７５を有し、本体ケース７１Ａ内にこれら吸込口７２、７３及び吹出口７５を連通する通風路７６を設けて熱交換器７７及び送風ファン７８を配設し、熱交換器７７風上側の通風路７６に、通風路７６断面の全体を覆うエアフィルタ７９と、通風路７６断面の一部を覆う空気清浄フィルタ８０とを備えている。エアフィルタ７９は吸込空気中に含まれる塵埃を捉え、空気清浄フィルタ８０はさらに細かい塵埃を捉えて塵埃が通風路７６内に侵入するのを防いでいる。なお、実線で示す開閉フラップ７４は、吹出口７５を閉塞した状態、一点鎖線で示す開閉フラップ７４は、エアーショート運転時の位置を示し、破線で示す開閉フラップ７４は、通常運転時の位置を示している。
【０００４】
　前記熱交換器７７には、図示しない室外機が冷媒管にて接続され、冷媒が循環して供給される。そして、冷房運転時には熱交換器７７が冷却され、暖房運転時には暖められ、吸込口７２、７３から吸い込まれた室内空気が前記熱交換器７７で熱交換されて吹出口７５から吹き出され室内が冷房または暖房される。
【０００５】
　ところで、室内機７１を長時間運転していると、通風路７６内部にはエアフィルタ７９の網目を通して微細な塵埃が侵入し、この塵埃が送風ファン７８や本体ケース７１Ａの内壁等に付着してしまう。かかる付着した塵埃は、室内機７１を再度運転したときに舞上がって室内へ吹き出されることがある。
【０００６】
　これを防ぐため、運転開始時には、開閉フラップ７４の開度を小さい位置（一点鎖線で示す）にしてエアショート運転を行い、吹出口７５から吹き出された空気をそのまま前面吸込口７２から吸い込まれるようにし（実線矢印で示す）、エアフィルタ７９を通過させることにより、本体ケース７１Ａ内部に付着した塵埃の沈静化を促している。塵埃が沈静化した後には、開閉フラップ７４を通常運転時の位置（破線で示す）にし調和空気を吹出口７５から室内へ吹き出すようにしている。これにより、運転開始時に発生する塵埃が室内に拡散されるのを抑制している。
【特許文献１】特開２００１−２０１１４７号公報
【発明の開示】
【発明が解決しようとする課題】
【０００７】
　しかしながら、本体ケース７１Ａ内に付着した塵埃には、エアフィルタ７９の網目を通過した微細なものや臭気を含んだものもあり、エアショート運転によりこれらの塵埃をエアフィルタ７９に何回か通過させても、微細な塵埃や臭気を含んだ空気が多分に室内へ吹き出される恐れがあった。
【０００８】
　これら微細な塵埃や臭気をできるだけ室内へ拡散しないようにするため、エアフィルタ７９の網目を細かくしたり、空気清浄フィルタ８０の面積を大きくすることが考えられるが、このようにすると通風路７６の空気抵抗が大きくなって空調能力を低下させることになる。
【０００９】
　本発明は、上述したような従来の事情に鑑みてなされたものであり、空調能力を低下させないようにするとともに、微細な塵埃や臭気を含んだ空気が室内へ拡散されるのを軽減する空気調和機を提供することを目的とする。
【課題を解決するための手段】
【００１０】
　上記課題を解決するために、請求項１に記載の発明は、前面に開口部、下端部に吹出口を有する本体ケースと、この本体ケースの前記開口部に取り付けられ吸込口を有する前面パネルと、本体ケース内に設けられ前記吸込口及び吹出口を連通する通風路と、この通風路内に設けられた熱交換器及び送風ファンとを備えた空気調和機において、前記前面パネルは前方に突出して設けられる前面板と、この前面板の下端部に設けられ下方に向けて開口する下吸込口とを有し、前記前面板と熱交換器との間に少なくとも脱臭装置または集塵装置のいずれか一方を配置したことを特徴とする。
【００１１】
　請求項２に記載の発明は、請求項１に記載の空気調和機において、前記前面板は中央部が左右より突出し、前記脱臭装置または集塵装置を左右方向のほぼ中央に設けたことを特徴とする。
【００１２】
　請求項３に記載の発明は、請求項１または２に記載の空気調和機において、前記熱交換器の風上側の通風路内にプレフィルタ、紫外線ランプ及び脱臭フィルタを順次配置して脱臭装置を形成すると共に、前記紫外線ランプ及び脱臭フィルタを脱臭ケースに収納し、この脱臭ケースの前板を網目状に形成してプレフィルタとしたことを特徴とする。
【発明の効果】
【００１３】
　本発明の空気調和機は、前面パネルとこの前面パネルの前方に突出する前面板とを設けたので、この前面板と熱交換器との間隔が大きくなり、脱臭装置（脱臭フィルタ）または集塵装置（集塵フィルタ）等の部品を配設することができる。
【００１４】
　また、前記前面板は下方に向けて下吸込口を設けると共に中央部を左右よりも突出させているので、下吸込口の中央部が左右より大きく開口する。そして前面板の後方で左右方向の中央部に脱臭装置または集塵装置を配置したことにより、空気の多くが下吸込口の中央部から流入して脱臭装置または集塵装置を通過するので、脱臭効果または集塵効果を高くすることができる。
【００１５】
　また、前記熱交換器の風上側の通風路内に脱臭装置を設け、この脱臭装置はプレフィルタ、紫外線ランプ及び脱臭フィルタを順次配設したことにより、プレフィルタの目よりも小さな塵埃や臭気を脱臭フィルタで受け止め、脱臭フィルタの前方から紫外線を照射して脱臭を行うので、脱臭フィルタの前面側に溜まった塵埃や臭気を効果的に脱臭することができる。
【実施例】
【００１６】
　本発明の一実施形態を図面に基づいて説明する。
【００１７】
　図１は本発明の一実施形態における分離型空気調和機の室内機の正面図、図２は図１の側断面図、図３は図１の前面パネルを外した状態を示す正面図、図４は図１の平面図、図５は図２の一部拡大図である。
【００１８】
　図１において、空気調和機の室内機１は、室内に設置され、室外に設置される室外機に冷媒管により接続されて構成され、これら室外機と室内機１とを冷媒が循環するようになっている。室内機１は、プラスチック等を材料として形成された横長の本体ケース２と、この本体ケース２の前面に着脱可能に取り付けられる前面パネル３とを備えている。この前面パネル３の中央下部には表示部４が配置されている。
【００１９】
　図２、図３において、前記本体ケース２には前面に開口する前面開口部５、上面に複数の通気口を有する上面吸込口６、及び下端部に吹出口７が形成されている。本体ケース２の前記前面開口部５には複数の吸込口１５、１６、１７を有する前記前面パネル３が設けられる。
【００２０】
　本体ケース２内には、前記吸込口６、１５、１６、１７と吹出口７とを連通する通風路８が形成され、この通風路８内の略中心位置には、長手方向に延設されたクロスフローファン（送風ファン）１１が設けられ、このクロスフローファン１１と上面吸込口６及び前面開口部５との間に熱交換器１２が配設されている。また図３に示すように、本体ケース２の右端には、制御基板や電気部品を収納する電装箱１９が奥行方向を横断するように設けられている。
【００２１】
　前記熱交換器１２は横長で本体ケース２の左端から右部にかけて設けられ、３つのブロックから成っている。これら３つのブロックがクロスフローファン１１を包む（図２参照）ように概略「く」字状及び「Λ」字状に形成されて、室内機１を小型化しても熱交換効率が低下しないようになっている。熱交換器１２の下端部には、この熱交換器１２で結露して滴下する水を受け止めるドレンパン１３が設けられ、このドレンパン１３は本体ケース２に固定されている。
【００２２】
　前記前面パネル３には、前面パネル３の全幅にわたり、かつ前方に突出して設けられた前面板１４を有し、この前面板１４は中央部を先端として左右に湾曲する円弧形状をし、図４に示すように、前面パネル３に複数のリブ１４ａ、１４ａ・・で接続されている。前面板１４の上端部には、弓形状で、かつ上方に向けて開口する上吸込口１５、前部には複数のスリット状の開口を有する前面吸込口１６、及び下端部には弓形状で、かつ下方に向けて開口する下吸込口１７が形成されている。また、前面パネル３の下部には表示部４用の開口１８が形成されている。
【００２３】
　前記前面パネル３と熱交換器１２との間には、前から順に脱臭装置用取付枠（以下脱臭枠という）２１、空気清浄フィルタ用取付枠（以下空清枠という）２２、及びエアフィルタ２３が設けられている。
【００２４】
　前記脱臭枠２１は、本体ケース２の前面開口部５の周縁にねじにて固定され、数本の縦桟と数本の横桟とを有している。この脱臭枠２１の中央部には脱臭枠２１と一体に、かつ前方に突出した脱臭ケース２５を有する脱臭装置２４が設けられている。脱臭ケース２５は横幅が前面開口部５の横幅の約１／３（図３参照）であり、内部に紫外線ランプ及び脱臭フィルタを収納している。
【００２５】
　前記脱臭ケース２５は、図５に示すように、前板の上部２／３が網目状の開口を有し（図３参照）、上方及び下方が上板及び下板で閉鎖され後方が開口している。前板の網目は空気中の塵埃を受け止めるプレフィルタになっている。この脱集ケース２５内には板状の脱臭フィルタ２７が上辺を前方に傾斜して収納され、脱臭フィルタ２７の前方下部には横長円筒形の紫外線ランプ２６が収納され、この紫外線ランプ２６は室内機１の右方に設けられた制御基板に電気的に接続されている。この紫外線ランプ２６の収納部２６ａは、前方と下方とが閉鎖され上方と後方が開放して、紫外線が上方と後方とから脱臭フィルタ２７へ照射されるようになっている。そして前面板１４の吸込口１５、１６、１７から吸い込まれた空気が、図５の実線矢印で示すように、プレフィルタ２５ａを経て脱臭フィルタ２７を通過するようになっている。
【００２６】
　図２において、前記空清枠２２は、本体ケース２の前面開口部５に嵌合されており、この空清枠２２の左半部には空気清浄フィルタ（以下空清フィルタという）２９の収納部２９ａが形成され、この収納部２９ａに空清フィルタ２９が収納されている。空清フィルタ２９は空気中の塵埃を受け止めるとともに、たばこの煙や臭いを付着させ軽減することができる。
【００２７】
　また、前記エアフィルタ２３は可撓性の素材で作られており、格子部とこの格子部の間に形成され空気中の塵埃を受け止める網部とを有し、熱交換器１２の上方及び前方を覆うように、本体ケース２の側面に湾曲して形成されたガイドレール３１に摺動自在に取り付けられている。そして、エアフィルタ２３下方の本体ケース２には、このエアフィルタ２３を下方向へ取り出す取出口３２が形成され、エアフィルタ２３を挿脱自在に収納することができる。
【００２８】
　前記吹出口７には吹き出す空気の方向を設定するための風向変更器が設けられている。この風向変更器は吹き出す空気の左右方向を規定する複数の縦羽根３３と、上下方向を規定する開閉フラップ３４とにより構成されて、この開閉フラップ３４は室内機１が運転停止しているとき、即ち室内に空気が送風されていないときは吹出口７を閉塞し、運転が開始されると吹出口７を開放するようになっている。
【００２９】
　以上のように構成された空気調和機において、空気調和機の運転が開始されると、クロスフローファン１１の回転とともに空気調和機の運転が開始される。運転開始後の所定時間（例えば、３０秒〜３分）は開閉フラップ３４の開度を小さくし、少な目の所定送風量でクロスフローファン１１を回転させる。吹出口７から吹き出された空気は、所定送風量を保って、ほとんどを下吸込口１７から吸気されるようになっている。
【００３０】
　そして、下吸込口１７が弓形状をしているので、吹出口７から吹き出された空気は、下吸込口１７の中央部から多く流入し脱臭フィルタ２７を通過し、さらに空清フィルタ２９及びエアフィルタ２３を通過する。このとき通過する空気には、本体ケース２内に付着してクロスフローファン１１の作動により舞い上がった微細な塵埃や臭気が多量に含まれ、下吸込口１７の中央部に配設された脱臭フィルタ２７を通過させることにより臭気を脱臭フィルタ２７に付着させることができる。脱臭フィルタ２７に付着した臭気は、空気調和機の運転時に点灯する紫外線ランプ２６の照射により脱臭される。
【００３１】
　そして、本体ケース２内の塵埃や臭気が落着いた後に開閉フラップ３４を所定の位置にして空気調和された空気を室内へ吹き出すようにしている。
【００３２】
　このように、クロスフローファン１１を作動した直後は、室内機１内部に侵入してクロスフローファン１１や室内機１の内壁等に付着した塵埃や臭気が攪拌されて吹出口７から吹き出されるので、運転開始時にエアショート運転を行い吹出口７から吹き出される空気を下吸込口１７から流入させることにより、塵埃や臭気が脱臭フィルタ２７に付着して室内への拡散をしにくくする。なお、通常の空調運転時にも脱臭フィルタ２７を通過した空気中の塵埃や臭気が脱臭フィルタ２７に付着し削減される。
【００３３】
　また、前記下吸込口１７が弓形状をして中央部が左右より大きく開口しているので、下吸込口１７から吸い込まれた空気が中央部から多く流入し、中央部に脱臭フィルタ２７を設けているので、脱臭フィルタ２７に塵埃や臭気が集中して通過し脱臭効果を高めることができる。脱臭フィルタ２７に付着した塵埃や臭気は、脱臭フィルタ２７の前面に多く付着し、紫外線ランプ２６が脱臭フィルタ２７の前面側に照射するので、効果的に脱臭することができる。
【００３４】
　また、脱臭フィルタ２７の大きさを小さくしたことにより、通風路８の空気抵抗を小さくして通風量を確保し空調能力の低下を防ぐことができる。さらに、紫外線ランプ２６の長さを短くしたことにより、脱臭装置２４のコストダウンを図ることができる。
【００３５】
　また、脱臭装置２４は、着脱可能な脱臭枠２１に一体に設けられているので、脱臭フィルタ２７及び紫外線ランプ２６の保守点検を容易にすることができる。
【００３６】
　以上、一実施形態に基づいて本発明を説明したが、本発明はこれに限定されるものではない。
【００３７】
　本実施形態では前面パネル３と熱交換器１２との間に脱臭装置２４を設けているが、脱臭装置２４の代わりに集塵装置を設けても良い。
【図面の簡単な説明】
【００３８】
【図１】本発明の一実施形態における空気調和機の室内機の正面図である。
【図２】図１の室内機の側断面図である。
【図３】図１の室内機の前面パネルを外した状態を示す正面図である。
【図４】図１の室内機の平面図である。
【図５】図２の一部拡大図である。
【図６】従来の空気調和機の室内機の側断面図である。
【符号の説明】
【００３９】
　１　室内機
　２　本体ケース
　３　前面パネル
　４　表示部
　５　前面開口部
　６　上面吸込口
　７　吹出口
　８　通風路
　１１　クロスフローファン（送風ファン）
　１２　熱交換器
　１３　ドレンパン
　１４　前面板
　１４ａ　リブ
　１５　上吸込口
　１６　前面吸込口
　１７　下吸込口
　１８　表示部開口
　１９　電装箱
　２１　脱臭装置用取付枠（脱臭枠）
　２２　空気清浄フィルタ用取付枠（空清枠）
　２３　エアフィルタ
　２４　脱臭装置
　２５　脱臭ケース
　２５ａ　プレフィルタ
　２６　紫外線ランプ
　２７　脱臭フィルタ
　２９　空気清浄フィルタ（空清フィルタ）
　３４　開閉フラップ
【図１】
2004101171.tif 000003
【図２】
2004101171.tif 000004
【図３】
2004101171.tif 000005
【図４】
2004101171.tif 000006
【図５】
2004101171.tif 000007
【図６】
2004101171.tif 000008